(57)【要約】【課題】給水タンクを備えて持ち運びに便利で使用上も便利な携帯シャンプーボックスを提供する。【解決手段】シャンプーボウル３と、このシャンプーボウル３に組み付けられる給水タンク４と、この給水タンク４に配管接続されるシャワーヘッド５と、シャンプーボウル３に折畳み可能に組み付けられる伸縮式脚部６と、シャンプーボウル３に組み付けられるキャリングハンドル７と、を一体化して備える。具体的には、シャンプーボウル３を有する第１のボックス体１と、給水タンク４を有する第２のボックス体２と、この第２のボックス体２を第１のボックス体１に対し、一側部に沿って縦置き状態で位置し、かつ、シャンプーボウル３上に重なるよう折畳み可能に連結するヒンジ部材と、を備える。【選択図】図１
2007125218.tif 000002
【特許請求の範囲】
【請求項１】
シャンプーボウルと、
このシャンプーボウルに組み付けられる給水タンクと、
この給水タンクに配管接続されるシャワーヘッドと、
前記シャンプーボウルに折畳み可能に組み付けられる伸縮式脚部と、
前記シャンプーボウルまたは給水タンクに組み付けられるキャリングハンドルと、
を一体化して備えることを特徴とする携帯シャンプーボックス。
【請求項２】
前記シャンプーボウルを有する第１のボックス体と、
前記給水タンクを有する第２のボックス体と、
この第２のボックス体を前記第１のボックス体に対し、一側部に沿って縦置き状態で位置し、かつ、前記シャンプーボウル上に重なるよう折畳み可能に連結するヒンジ部材と、
を備えることを特徴とする請求項１に記載の携帯シャンプーボックス。
【請求項３】
前記シャンプーボウル及びその下方に沿って前記給水タンクを有する一体形状のボックス体を備えることを特徴とする請求項１に記載の携帯シャンプーボックス。
【発明の詳細な説明】
【技術分野】
【０００１】
本発明は、給水タンクを備える携帯シャンプーボックスに関する。
【背景技術】
【０００２】
入院患者をベッドに寝かせた状態で狭い空間を利用した洗髪を可能とする装置として特許文献１に記載の洗髪台車がある。特許文献１の洗髪台車は、伸縮式のシャワーヘッドを上部に備える給水タンクを排水タンクの上に重ねて搭載する台車に、その下部中央を旋回中心とするアームを備え、そのアームの先端に、下部に自在輪を、上部に伸縮式の支柱を介してシャンプーボウルをヒンジにより俯仰自在に備えた構成のものである。
【０００３】
また、被洗髪者が椅子に座りながら洗髪できる携帯可能な洗髪台として特許文献２に記載の携帯用洗髪台がある。特許文献２の携帯用洗髪台は、被洗髪者の頸部を後からほぼ水平に取り囲むことができる略Ｕ字形状の凹部を周縁に形成したシャンプーボウルと、そのシャンプーボウルに対し着脱可能でシャンプーボウルを所定高さに支持固定する脚部を備えた構成のものである。
【特許文献１】特公平７−４２９７号公報
【特許文献２】特許第３３２６４３８号明細書
【発明の開示】
【発明が解決しようとする課題】
【０００４】
しかし、特許文献１の洗髪台車は、大きな給水タンクとシャンプーボウル及び排水タンクを搭載して移動可能としたものであり、携帯して持ち運べるものではない。
また、特許文献２の携帯用洗髪台は、持ち運びの際には略Ｕ字形状の凹部を周縁に形成した特殊形状のシャンプーボウルから脚部を取り外して別々に持ち運ぶ必要があり、使用時にはシャンプーボウルに脚部を取り付ける必要がある。従って、脚部の着脱作業が面倒であり、携帯に必ずしも便利なものではなかった。そして、別にシャンプー設備を必要とするものであった。
【０００５】
本発明の課題は、給水タンクを備えて持ち運びに便利で使用上も便利な携帯シャンプーボックスを提供することである。
【課題を解決するための手段】
【０００６】
以上の課題を解決するため、請求項１に記載の発明は、例えば図１から図３に示すように、シャンプーボウル３と、このシャンプーボウル３に組み付けられる給水タンク４と、この給水タンク４に配管接続されるシャワーヘッド５と、前記シャンプーボウル３に折畳み可能に組み付けられる伸縮式脚部６と、前記シャンプーボウル３または給水タンク４に組み付けられるキャリングハンドル７と、を一体化して備える携帯シャンプーボックスを特徴とする。
【０００７】
請求項１に記載の発明によれば、シャンプーボウル３、給水タンク４、シャワーヘッド５、折畳み可能な伸縮式脚部６、キャリングハンドル７が一体化された携帯シャンプーボックスなので、給水タンク４を備えながら、伸縮式脚部６を折畳んだ状態でキャリングハンドル７により手で持ち運べる。
また、使用時には伸縮式脚部６を起こしてから伸ばすことによりシャンプーボウル３を所望高さに設置することで、給水タンク４に配管接続されたシャワーヘッド５を用いてシャンプー作業できる。
なお、ボックス底部にキャスター８を備えれば、手で引くキャリーボックスとして持運びが容易になる。
【０００８】
請求項２に記載の発明は、請求項１に記載の携帯シャンプーボックスであって、例えば図１から図３に示すように、前記シャンプーボウル３を有する第１のボックス体１と、前記給水タンク４を有する第２のボックス体２と、この第２のボックス体２を前記第１のボックス体１に対し、一側部に沿って縦置き状態で位置し、かつ、前記シャンプーボウル３上に重なるよう折畳み可能に連結するヒンジ部材と、を備えることを特徴とする。
【０００９】
請求項２に記載の発明によれば、ヒンジ部材により、給水タンク４を有する第２のボックス体２を、シャンプーボウル３を有する第１のボックス体１の一側部に沿った縦置き状態として使用できる。
また、第２のボックス体２を第１のボックス体１のシャンプーボウル３上に重ねて折畳みできる。
【００１０】
請求項３に記載の発明は、請求項１に記載の携帯シャンプーボックスであって、例えば図４に示すように、前記シャンプーボウル３及びその下方に沿って前記給水タンク４を有する一体形状のボックス体２１を備えることを特徴とする。
【００１１】
請求項３に記載の発明によれば、シャンプーボウル３の下方に沿った給水タンク４を有する一体形状のボックス体２１として、キャリングハンドル７で持ち運べ、また、伸縮式脚部６の使用でシャンプー作業できる。
【発明の効果】
【００１２】
本発明の携帯シャンプーボックスによれば、給水タンクを備えながら、伸縮式脚部を折畳んだ状態でキャリングハンドルにより手で持ち運べて便利であり、また、給水タンクに配管接続されたシャワーヘッドを用いてシャンプー作業できて使用上も便利である。
【発明を実施するための最良の形態】
【００１３】
以下、図を参照して本発明を実施するための最良の形態を詳細に説明する。
（実施形態１）
本発明を適用した実施形態１の携帯シャンプーボックスの使用状態を示した図１において、１は第１のボックス体、２は第２のボックス体、３はシャンプーボウル、４は給水タンク、５はシャワーヘッド、６は伸縮式脚部、７はキャリングハンドル、８・９はキャスターである。
【００１４】
第１のボックス体１と第２のボックス体２は、図２及び図３にも示すように、いずれも樹脂製または金属製で同様の略直方体形状をなしていて、互いの一辺部において、図示しないヒンジ部材により折畳み可能に組み付けられている。これら第１及び第２の両ボックス体１・２は、例えば厚さ２５ｃｍ程度のもので、図１（ａ）に示すように、互いの一辺部において、略水平状態の第１のボックス体１に垂直状態の第２のボックス体２が載った状態で合致する傾斜面１ａ・２ａに形成されている。なお、第１のボックス体１と第２のボックス体２はヒンジ部材の部分で分解可能である。
第１のボックス体１は、上面に例えば深さ２０ｃｍ程度のシャンプーボウル３を有しており、このため、シャンプー台を兼ねている。シャンプーボウル３は、排水口３ａを有し、第１のボックス体１の一辺部に沿った部分が湾曲凹部３ｂに形成されている。この湾曲凹部３ｂに沿って、被洗髪者の頸部に沿わせて当てるパッド３ｃが装着されている。パッド３ｃは２段階または３段階等に高さ調整可能なものであればなお良い。
【００１５】
第２のボックス体２は、シャンプーボウル３上を塞いで第１のボックス体１に重ね合わせ可能で、内部に給水タンク４を有して外部にシャワーヘッド５を備えている。
給水タンク４は、第２のボックス体２の下部を除いた容量を具備するもので、第２のボックス体２から取り外し可能となっていて、第２のボックス体２の上面に開口する吸水口は給水キャップ４ａで閉じられている。
シャワーヘッド５は、給水タンク４の下部にフレキシブル送水ホール５ａを介して配管接続されていて、手元スイッチ５ｂを有している。
【００１６】
そして、第１のボックス体１のシャンプーボウル３に対し裏面側には、複数本の伸縮式脚部６が折畳み可能に組み付けられるとともに、キャリングハンドル７が引出し可能に組み付けられている。
伸縮式脚部６は、図示例では４本で、三段の脚により伸縮可能なもので、一番短い状態で第１ボックス体１に形成される凹部に折畳んだ状態で収納可能に組み付けられている。この伸縮式脚部６は、二本の調整リング６ａの締込みにより第１のボックス体２を略水平状態に支持した調整長さで固定可能となっている。
キャリングハンドル７は、第１のボックス体１内に、そのヒンジ部材側と反対側の他辺部から二段階に引出し可能に組み付けられている。
【００１７】
また、第１のボックス体１には、左右一対のキャスター８が備えられている。すなわち、第１のボックス体１には、そのヒンジ部材側の左右両側部にキャスター８が取り付けられている。
なお、伸縮式脚部６の先端部にもキャスター９が備えられている。キャスター９はストッパー付きが好ましい。
【００１８】
さらに、第１のボックス体１には、左右一対のシャンプー台固定アーム１１が備えられている。すなわち、第１のボックス体１には、そのキャスター８と反対側の左右両側部にシャンプー台固定アーム１１が回動可能に組み付けられている。
シャンプー台固定アーム１１を被洗髪者が座る椅子の背もたれや被洗髪者が寝るベッドの縁に掛けることで、シャンプー台を兼ねる第１のボックス体１を所望位置に固定できる。
【００１９】
また、第２のボックス体２には、空気圧式送水ポンプ１２、図示しない電動送水ポンプ及びヒーターが内蔵されるとともに、電動送水スイッチ１３、湯温調整スイッチ１４、電気コード１５、コード収納ボタン１６、残り水抜きプラグ１７等が備えられている。
すなわち、第２のボックス体２には、略垂直に立てた状態での下部であって、給水タンク４の下方に空気圧式送水ポンプ１２、電動送水ポンプ及びヒーターを組み込んで内蔵している。
空気圧式送水ポンプ１２は、第２のボックス体２の側面に一部が露出していて、この部分を人力により複数回押し込み操作することで、給水タンク４内の水に空気圧を常時作用させて、例えば手元スイッチ５ｂを押せばシャワーヘッド５から水を噴出させられる。
【００２０】
電動送水スイッチ１３及び湯温調整スイッチ１４は、第２のボックス体２の空気圧式送水ポンプ１２が位置する側面に並べて設けられている。
電気コード１５及びコード収納ボタン１６は、第２のボックス体２を略垂直に立てた状態での下部で、空気圧式送水ポンプ１２、電動送水スイッチ１３及び湯温調整スイッチ１４と反対側の側面に並べて設けられている。電気コード１５は、図１（ａ）に示すように、第２のボックス体２から引出し可能であって、コード収納ボタン１６を押すと第２のボックス体２内に巻き取られる。
残り水抜きプラグ１７は、第２のボックス体２を略垂直に立てた状態での給水タンク４の下端部でシャワーボウル３側の面に開口する残り水抜き孔に取り付けられている。
【００２１】
なお、付属品として、シャンプーボウル３（第１のボックス体１）の排水口３ａに接続可能なフレキシブル排水ホース１８及び排水タンク１９が用意されている。排水タンク１９は、ボックス形状で図示したが、可撓性を有する樹脂製で袋状のものであっても良い。
【００２２】
以上の構成による携帯シャンプーボックスは、図２及び図３に示すように、水を抜いた給水タンク４をシャンプーボウル３上に重ねて折畳み状態にし、伸縮式脚部６も折畳んだ状態にして、キャリングハンドル７により手で引きながらキャスター８を転がして容易に持ち運べるので便利である。
また、使用時には、図１に示すように、伸縮式脚部６を起こしてから伸ばすことによりシャンプーボウル３を所望高さに設置し、給水タンク４をシャンプーボウル３の一側部に沿った縦置き状態とし、給水タンク４に水を注入しておく。そして、空気圧式送水ポンプ１２を予め複数回押し込み操作しておき、手元スイッチ５ｂを押してシャワーヘッド５によりシャンプー作業できるので便利である。
【００２３】
さらに、使用時において、伸縮式脚部６の下端部に備えたキャスター９により、給水タンク４に水を入れて重い状態でも移動が容易に行える。
しかも、シャンプー作業が何処であっても、排水ホース１８及び排水タンク１９を用いることで、シャンプーボウル３からの排水溜めが行えるので便利であり、後に排水タンク１９を運んで廃水処理すればよい。
【００２４】
また、電気コード１５をコンセントに差し込んでおけば自動送水及び温水供給が行える。すなわち、電動送水スイッチ１３を操作して電動送水ポンプによる給水タンク４からシャワーヘッド５への自動送水が行われる。同様に、湯温調整スイッチ１４を操作してヒーターによる給水タンク４内の水を加熱して湯温調整された温水の供給が行われる。
【００２５】
従って、実施形態の携帯シャンプーボックスは、例えば介護が必要とされ、外出などの動きが困難な人のためのシャンプー台、災害時等において病院などに入院した場合、気軽に病室に持ち込んでベッドに寝た状態や車椅子に座った状態等に対応して場所を取らないシャンプー台、個人美容サロン等において、設備投資を抑えたり、設備配置に制限されたりしないシャンプー台として極めて便利なものとなる。
【００２６】
なお、使用後は、残り水抜きプラグ１７を抜いて給水タンク４内の残り水を排出して空にすることで、持運びに備えて軽量にしておく。
また、この実施形態では、シャンプーボウル３を有する第１のボックス体１にキャリングハンドル７を備えたが、給水タンク４を有する第２のボックス体２にキャリングハンドル７を備えるようにしても良い。
【００２７】
（実施形態２）
図４は本発明を適用した実施形態２の携帯シャンプーボックスの使用状態を示したもので、前述した実施形態２と同様に、３はシャンプーボウル、３ａは排水口、３ｂは湾曲凹部、３ｃはパッド、４は給水タンク、４ａは給水キャップ、５はシャワーヘッド、５ａはフレキシブル送水ホース、５ｂは手元スイッチ、６は伸縮式脚部、６ａは調整リング、７はキャリングハンドル、８・９はキャスター、１１はシャンプー台固定アーム、１２は空気圧式送水ポンプ、１３は電動送水スイッチ、１４は湯温調整スイッチ、１５は電気コード、１６はコード収納ボタン、１８は排水ホース、１９は排水タンクであって、２１はボックス体である。
【００２８】
この実施形態は、図示のように、ボックス体２１にシャンプーボウル３とその下方に沿った給水タンク４を設けたものである。
すなわち、ボックス体２１は、樹脂製または金属製で略直方体形状をなし例えば厚さ４０〜５０ｃｍ程度のもので、上面にシャンプーボウル３、シャワーヘッド５、電動送水スイッチ１３及び湯温調整スイッチ１４を有している。そして、シャンプーボウル３の下方の内部に、給水タンク４を有するとともに、一側面に一部が露出する空気圧式送水ポンプ１２、図示しない電動送水ポンプ及びヒーターを内蔵している。
【００２９】
また、ボックス体２１の下面には、伸縮式脚部６が折畳み可能に組み付けられて、キャリングハンドル７が引出し可能に組み付けられるとともに、残り水抜き孔が設けられている。その残り水抜き孔に残り水抜きプラグが取り付けられている。
そして、ボックス体２１の両側面で、キャリングハンドル７の引出し側と反対側端部の下面寄り部に左右一対のキャスター８が取り付けられている。
なお、ボックス体２１のキャリングハンドル７の引出し側と端面上部に開口する、給水タンク４の吸水口は給水キャップ４ａで閉じられている。
【００３０】
このような構成の携帯シャンプーボックスによれば、前述した実施形態１のような折畳み操作は必要なく、使用時は、伸縮式脚部６を起こしてから伸ばすことによりシャンプーボウル３を所望高さに設置し、給水タンク４に水を注入しておけばよい。そして、空気圧式送水ポンプ１２を予め複数回押し込み操作しておき、手元スイッチ５ｂを押してシャワーヘッド５によりシャンプー作業できて便利である。
また、使用に際してまたは使用後は、伸縮式脚部６を折畳んだ状態にして、キャリングハンドル７を手で引くことでキャスター８を転がし容易に持ち運べて便利である。
【００３１】
なお、以上の実施形態においては、略直方体形状のボックス体としたが、本発明はこれに限定されるものではなく、略円柱体形状、略円錐体形状、略球体形状、略三角柱体形状や五角形柱体形状等の角柱体形状などのボックス体であっても良い。
また、各種装備・寸法等や各操作スイッチ等の配置や形状なども任意であり、その他、具体的な細部構造等についても適宜に変更可能であることは勿論である。
【図面の簡単な説明】
【００３２】
【図１】本発明を適用した実施形態１の構成を示すもので、携帯シャンプーボックスの使用状態を示した斜視図（ａ）と、その平面図（ｂ）である。
【図２】図１の携帯シャンプーボックスの折畳み状態を示した斜視図（ａ）と、その背面図（ｂ）である。
【図３】図２の折畳み状態における携帯シャンプーボックスの一側面図（ａ）と、他側面図（ｂ）である。
【図４】本発明を適用した実施形態２の構成を示すもので、携帯シャンプーボックスの使用状態を示した斜視図（ａ）と、その平面図（ｂ）である。
【符号の説明】
【００３３】
１  第１のボックス体
２  第２のボックス体
３  シャンプーボウル
４  給水タンク
５  シャワーヘッド
６  伸縮式脚部
７  キャリングハンドル
８・９  キャスター
１１  シャンプー台固定アーム
１２  空気圧式送水ポンプ
１３  電動送水スイッチ
１４  湯温調整スイッチ
１５  電気コード
１６  コード収納ボタン
１７  残り水抜きプラグ
１８  排水ホース
１９  排水タンク
２１  ボックス体
【図１】
2007125218.tif 000003
【図２】
2007125218.tif 000004
【図３】
2007125218.tif 000005
【図４】
2007125218.tif 000006